(57)【要約】【課題】所定住所内の複数の電気・電子機器を一元操作する機器操作機において、セキュリティ性が高く、前記複数の電機・電子機器の動作状況を容易に確認できると共に、操作性に優れる機器操作機及び、その対応機器を提供する。【解決手段】操作部４と、操作部４から入力された所有者コードに基づき各対応機器Ｓに対する操作を可能とする所有者コード特定手段７と、周波数信号の送受信が可能な送受信手段２２、２３と、対応機器Ｓ側から出力された制御データを送受信手段２２、２３または外部インターフェイスにより読込み可能なデータ読込み手段７と、データ読込み手段７が読込んだ制御データを、各対応機器Ｓの動作に関連付けて記憶する記憶手段９と、機内の動作制御を行う制御手段７とを備える。【選択図】図２
0003130081.tif 000002
【実用新案登録請求の範囲】
【請求項１】
所定の住所における複数の対応機器の夫々に対し、該機器の動作を制御する制御周波数を送信し、各対応機器を操作する１つまたは複数の機器操作機であって、
操作者の指示を受付ける操作部と、所有者及び住所を限定する所有者コードを設定し、前記操作部から入力された前記所有者コードに基づき各対応機器に対する操作を可能とする所有者コード特定手段と、周波数信号の送受信が可能な送受信手段と、前記対応機器側から出力された当該対応機器が動作する前記制御周波数及びその動作内容を含む制御データを前記送受信手段または外部インターフェイスにより読込み可能なデータ読込み手段と、前記データ読込み手段が読込んだ１つまたは複数の前記制御データを、各対応機器の動作に関連付けて記憶する記憶手段と、機内の動作制御を行う制御手段とを備え、
前記制御手段は、操作者が前記操作部で指示した動作内容に対応する制御周波数を前記記憶手段に記憶された制御データから読み出し、読み出した制御周波数を前記送受信手段により前記対応機器に対し送信することを特徴とする機器操作機。
【請求項２】
他の操作機との通信を可能とするネットワーク通信手段を備え、
前記制御手段は、前記ネットワーク通信手段または前記送受信手段により、他の操作機との間で前記制御データを送受信し、他の操作機と前記制御データを共有すると共に、
前記ネットワーク通信手段を用いて他の操作機に命令を発行し、所望の対応機器に対し前記制御周波数を送信させることを特徴とする請求項１に記載された機器操作機。
【請求項３】
前記所定の住所内の配電状況を表示すると共に所望の配電経路への電源の供給もしくは停止を操作可能な配電制御手段を備えることを特徴とする請求項１または請求項２に記載された機器操作機。
【請求項４】
前記ネットワーク通信手段は、前記複数の対応機器に共通接続された通信ラインに通信可能に接続し、
前記制御手段は、前記ネットワーク通信手段または前記送受信手段を介し、前記複数の対応機器の動作状況を取得することを特徴とする請求項２または請求項３に記載された機器操作機。
【請求項５】
前記所定の住所外且つ移動中であっても他の通信機器との無線通信が可能な移動通信手段を備え、
前記移動通信手段を通じて他の通信機器から受信した命令に基づき前記制御手段に機内の動作制御を実行させ、実行結果を前記他の通信機器に送信可能であることを特徴とする請求項１乃至請求項４のいずれかに記載された機器操作機。
【請求項６】
前記請求項１乃至請求項５のいずれかに記載された機器操作機から送信された制御周波数に基づき動作制御される前記対応機器であって、
前記機器操作機に対し、赤外線信号、電波信号、外部インターフェイスのいずれかにより前記制御データを出力するデータ出力手段を備えることを特徴とする対応機器。
【考案の詳細な説明】
【技術分野】
【０００１】
本考案は、対応機器である複数の電気・電子機器を一元操作する機器操作機及び、その対応機器に関する。
【背景技術】
【０００２】
従来、テレビやビデオ装置、或いはエアコン等の電気・電子機器に付属するリモコンが複数存在すると、それらの管理が煩雑となり、どのリモコンを使用すべきか混乱が生じるという問題があった。
この問題に対し、予め複数の家電メーカーの機器コードが記憶されたリモコンや、機器に付属するリモコンから発せられる赤外線信号を学習する学習機能付リモコン等が提供されている。
このような学習機能付リモコンがあれば、例えば赤外線信号を発する複数のリモコンを１つに纏めることができ、利便性を向上させることができる。尚、学習機能付リモコンについては、特許文献１に記載されている。
【特許文献１】特開２００２−２２３４８９号公報
【考案の開示】
【考案が解決しようとする課題】
【０００３】
前記特許文献１に開示の学習機能付リモコンがあれば、確かに利便性が向上する。しかしながら、特許文献１に記載の学習機能付リモコンにあっては、単に複数の電気・電子機器を一元操作できるだけであり、セキュリティ対策については何ら開示されていない。
即ち、単に複数の電気・電子機器を操作できるリモコンの場合、利便性が向上する反面、例えば子供等が悪戯に操作することによって、電子制御のガスコンロやストーブ等の火気を用いる機器を勝手に作動させたり、電子施錠装置を勝手に解除させる等の虞があり、安全上問題があった。
【０００４】
本考案は、前記したような事情の下になされたものであり、所定住所内の複数の電気・電子機器を一元操作する機器操作機において、セキュリティ性が高く、前記複数の電機・電子機器の動作状況を容易に確認できると共に、操作性に優れる機器操作機及び、その対応機器を提供することを目的とする。
【課題を解決するための手段】
【０００５】
前記した課題を解決するため、本考案に係る機器操作機は、所定の住所における複数の対応機器の夫々に対し、該機器の動作を制御する制御周波数を送信し、各対応機器を操作する１つまたは複数の機器操作機であって、操作者の指示を受付ける操作部と、所有者及び住所を限定する所有者コードを設定し、前記操作部から入力された前記所有者コードに基づき各対応機器に対する操作を可能とする所有者コード特定手段と、周波数信号の送受信が可能な送受信手段と、前記対応機器側から出力された当該対応機器が動作する前記制御周波数及びその動作内容を含む制御データを前記送受信手段または外部インターフェイスにより読込み可能なデータ読込み手段と、前記データ読込み手段が読込んだ１つまたは複数の前記制御データを、各対応機器の動作に関連付けて記憶する記憶手段と、機内の動作制御を行う制御手段とを備え、前記制御手段は、操作者が前記操作部で指示した動作内容に対応する制御周波数を前記記憶手段に記憶された制御データから読み出し、読み出した制御周波数を前記送受信手段により前記対応機器に対し送信することに特徴を有する。
【０００６】
このように構成することにより、所定住所内の複数の対応機器を１台の操作機で操作することができ、利便性が向上すると共に、機器操作機の電源投入時に所有者コード入力を必要とさせることによって、所有者コードを知らない人物の操作を制限することができ、セキュリティ性を向上することができる。
【０００７】
また、他の操作機との通信を可能とするネットワーク通信手段を備え、前記制御手段は、前記ネットワーク通信手段または前記送受信手段により、他の操作機との間で前記制御データを送受信し、他の操作機と前記制御データを共有すると共に、前記ネットワーク通信手段を用いて他の操作機に命令を発行し、所望の前記対応機器に対し前記制御周波数を送信させることが望ましい。
また、前記ネットワーク通信手段は、前記複数の対応機器に共通接続された通信ラインに通信可能に接続し、前記制御手段は、前記ネットワーク通信手段または前記送受信手段を介し、前記複数の対応機器の動作状況を取得することが望ましい。
【０００８】
このようなネットワーク通信手段を設けることにより、例えば所定の住所外に持ち出した１台の機器操作機から、所定の住所内の全ての対応機器の動作状況を得ることができ、また、対応機器がある室内に設置した他の機器操作機に対し命令を発行することにより、対応機器を遠隔操作することができる。
この機能は、例えば、一人暮らしの高齢者の住居内における対応機器の動作状況を介護者等が監視することにより、その高齢者に非常事態が生じていないかを把握することができ、遠隔操作により、火気を用いた装置等による災害を防ぐことができる。
【０００９】
また、前記所定の住所内の配電状況を表示すると共に所望の配電経路への電源の供給もしくは停止を操作可能な配電制御手段を備えることが望ましい。
このように配電経路への送電を制御することにより、例えば必要時のみに電源供給したり、動作停止したい装置に対し送電停止し強制的に動作停止させる等の制御が可能となる。
【００１０】
また、前記所定の住所外且つ移動中であっても他の通信機器との無線通信が可能な移動通信手段を備え、前記移動通信手段を通じて他の通信機器から受信した命令に基づき前記制御手段に機内の動作制御を実行させ、実行結果を前記他の通信機器に送信可能であることが望ましい。
このように構成すれば、一般的な携帯電話やカーナビ、ノートパソコン等からの通信により屋内の機器操作機を制御することができ、利便性が向上する。
また、移動体通信手段により通常の携帯電話としても使用することができる。
【００１１】
また、前記した課題を解決するため、本考案に係る対応機器は、前記機器操作機から送信された制御周波数に基づき動作制御される前記対応機器であって、前記機器操作機に対し、赤外線信号、電波信号、外部インターフェイスのいずれかにより前記制御データを出力するデータ出力手段を備えることに特徴を有する。
このように対応機器を構成することにより、機器操作機による動作制御を可能とすることができ、セキュリティ性に優れた対応機器を得ることができる。
【考案の効果】
【００１２】
本考案によれば、所定住所内の複数の電気・電子機器を一元操作する機器操作機において、セキュリティ性が高く、前記複数の電機・電子機器の動作状況を容易に確認できると共に、操作性に優れる機器操作機及び、その対応機器を得ることができる。
【考案を実施するための最良の形態】
【００１３】
以下、本考案の機器操作機及びそれに対応する対応機に係る実施の形態を図面に基づき説明する。図１は、本考案に係る機器操作機の実施の形態を示す外観図である。
この機器操作機Ｍ１は、所定住所内、特に一般家庭内において同一電源に接続された家電製品等の電気・電子機器を一元操作するための装置である。従って、以下の説明においては、家庭用の機器操作機Ｍ１を想定して説明を行う。これにより操作される機器（対応機器と呼ぶ）は、機器操作機Ｍ１が発する命令信号（制御周波数）に反応して、それに基づき所定の動作を行うようになされる。
【００１４】
図１に示す機器操作機Ｍ１は、例えばストレート型携帯電話やビデオ機器等のリモコン装置と同様に、操作者が掌で把持し易く持ち運びが容易なようにコンパクトな筐体形状をなしている。尚、図１においては、ストレート型の形状を示しているが、携帯性を考慮し、折り畳み携帯電話のように折り畳み構造を成していてもよい。
ユーザーインターフェイスとしては、操作する対応機器との通信機能を有する通信部２、各種情報を表示するための表示部３、操作者の指示を受付けるための操作部４、外部機器との接続部となる外部インターフェイス部５、この機器操作機Ｍ１に電源供給を行うバッテリー部６で構成される。
【００１５】
通信部２は、例えばアンテナ２ａ、カメラ部２ｂ、スピーカー部２ｃ、赤外線センサ部２ｄ、音声マイク部２ｅ、緊急時送信ボタン２ｆ等を有する。このうち、機器操作機Ｍ１の上部に設けられる赤外線センサ部２ｄは、図示するように３６０度の方向に対し赤外線信号を送信あるいは受信できるよう設けられている。
表示部３は、モノクロ液晶表示可能なものでもよいが、フルカラー表示可能な構成がより好ましい。
【００１６】
また、操作部４は、電源ボタン４ａ、音量調整ボタン４ｂ、英数字やひらがな入力パネル４ｃ、ナビゲーションキー４ｄの他、各種機能をダイレクトに指定して切り換える複数の機能切換えボタン４ｅ等を有する。
さらに、外部インターフェイス部５は、外部機器とのケーブル接続端子（図示せず）や、各種メモリカード（データチップ：ＳＤカード、ＣＦカード等）を挿入するスロット５ａ等を有する。
また、バッテリー部６は、汎用の乾電池を収容可能であり、この乾電池により機器操作機Ｍ１に電源供給するが、家庭内で充電可能な蓄電池を使用可能な構成でもよい。
【００１７】
図２は、機器操作機Ｍ１の内部構成及び、機器操作機Ｍ１と、これにより操作される対応機器との関係を模式的に示したブロック図である。
尚、同一住所内には、機器操作機Ｍ１以外に複数の機器操作機Ｍ２、Ｍ３、・・・を置くことができ、そのいずれによっても対応機器Ｓ１〜Ｓｎを操作できるようになされている。また、図２においては、機器操作機Ｍｍが同一住所外に持ち出された場合を示している。以下の内部構成の説明では、機器操作機Ｍ１を例に説明するが、その他の機器操作機Ｍ２〜Ｍｍも同様の構成になされているものとする。また、後述するが、複数の機器操作機Ｍ１〜Ｍｍは、内部に記憶する制御データ等の内容を共有することができ、いずれの操作機Ｍによっても対応機器Ｓに対し同様の機器操作が可能となっている。
図２に示すように、機器操作機Ｍ１は、前記したユーザーインターフェイス部となる通信部２、表示部３、操作部４、外部インターフェイス部５、バッテリー部６の他、それらを制御する制御部７（制御手段：ＣＰＵ）、プログラムＰ等を記憶した第１記憶部８（ＲＯＭ等）、データを記録する第２記憶部９（記憶手段：フラッシュメモリ、ハードディスクドライブ等）を有している。
【００１８】
尚、前記各部は、他の専用デバイス、例えば、携帯電話等と連結体となっていてもよい。図２においては、一例として携帯電話機能部１０との連結体を示しており、通信部２が有する前記アンテナ２ａ、カメラ部２ｂ、スピーカー部２ｃ、音声マイク部２ｅ等が携帯電話機能部１０の使用時に用いられる。さらには、表示部３、操作部４等を携帯電話機能部１０に連動して用いることが好ましい。
【００１９】
また、機器操作機Ｍ１の通信部２は、前記ユーザーインターフェイスとなる機能の他、通信プロトコルにＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いネットワーク内で無線通信を行うための無線ＬＡＮ通信機能２１（ネットワーク通信手段）、赤外線信号により機器制御するための赤外線リモコン機能部２２（送受信手段）、電波により機器制御するための電波式リモコン機能部２３（送受信手段）を備え、このうち赤外線リモコン機能部２２と電波式リモコン機能部２３のいずれかにより対応機器Ｓ（Ｓ１〜Ｓｎ）の動作制御を行う構成となされている。
【００２０】
一方、図２において、対応機器Ｓ１〜Ｓｎのうち、いずれか複数台が接続されている通信ライン５０は、ＴＣＰ／ＩＰを用いたデータ通信のためのネットワークラインであって、電話回線、イーサネット（登録商標）ケーブル等が適用される。この通信ライン５０には、公衆通信回線網が接続されると共に、対応機器Ｓの他、通信データの変調・復調を行うモデム５１、機器操作機Ｍ１と対応機器Ｓとの間の無線データ通信を行うための無線ＬＡＮルータ５２等が接続されている。
【００２１】
また、対応機器Ｓ１〜Ｓｎには、電力ライン６０からの電力供給がなされ、配電経路（図示せず）ごとに、送電制御部６１により送電の制御がなされる。この送電制御部６１は、通信ライン５０に接続されており、機器操作機Ｍ１は、無線ＬＡＮ機能２１を用い、配電制御手段として機能する制御部７によって機器操作機Ｍを制御し、各配電経路に対する送電或いは送電停止が行われるようになされている。
このようになされることにより、例えば必要時のみに電源供給したり、動作停止したい対応機器Ｓに対し送電停止し強制的に動作停止させる等の制御を行うことができる。
【００２２】
また、全ての対応機器Ｓ１〜Ｓｎにおいては、機器操作機Ｍ１の赤外線リモコン機能部２２と電波式リモコン機能部２３のいずれかに対応する受信部５５を備え、この受信部５５で受信した制御周波数に基づき、所定の動作を実施するようになされている。
また、通信ライン５０に接続される対応機器Ｓにおいては、通信ライン５０は対応機器Ｓの通信部５６に接続され、この通信部５６の機能により、機器操作機Ｍ１との間でＴＣＰ／ＩＰによるデータ通信が可能となされている。
このＴＣＰ／ＩＰによるデータ通信は、機器操作機Ｍ１側で例えばＷＥＢカメラ、各種センサ、機器制御部との通信等により、対応機器Ｓの動作状況を得るために用いられる。即ち、各対応機器Ｓは、例えば、機器操作機Ｍ１側からの通信ライン５０を介した命令に応じて、単に動作状況を返したり、或いは、その対応機器Ｓに設けられたＷＥＢカメラやセンサのデータを通信ライン５０を介して機器操作機Ｍ１に送信するようになされている。
尚、その他、機器操作機Ｍ１に対して動作状況を通知する方法としては、機器操作機Ｍ１の赤外線リモコン機能部２２或いは電波式リモコン機能部２３から送信された動作状況の通知要求に対し、赤外線信号あるいは電波を用いて返答する方法を用いてもよい。
【００２３】
また、前記ＴＣＰ／ＩＰによるデータ通信は、対応機器Ｓのセキュリティ制御に用いられる。例えば、火気を使用する電子制御のガスコンロ、ストーブ機器や電子施錠装置、防犯シャッター装置等の安全性の保証が必要な対応機器Ｓについて、通常時において、機器操作機Ｍ１による動作制御を不可とする状態（セキュリティロック状態と呼ぶ）となされる。
このセキュリティロック状態となされる対応機器Ｓ（例えば機器Ｓ１、Ｓ３等）においては、機器操作機Ｍ１から送信されたパスワードを前記通信部５６により受信し、このパスワードをロック解除手段５７で用いてセキュリティロック状態を解除するようになされている。
【００２４】
尚、このセキュリティロックが解除された後、ロック解除手段５７は、当該対応機器Ｓに応じた最適なタイミングで再び機器をロック状態とする。
例えば、対応機器Ｓがドア施錠装置の場合には、パスワードによりドアを開錠した後、ドアが閉まると同時に再びロック状態とするのが好ましい。
また、対応機器Ｓが火気を用いる機器の場合には、その機器の使用後に自動的にロック状態とするのが好ましい。
そのようにすれば、使用時以外に子供等が危険性を有する機器を勝手に操作することがないため、セキュリティを確実に保障することができる。
また、当然ながら、ロック状態にある対応機器Ｓがある一方で、例えば子供がテレビやビデオ機器等の比較的安全な機器を機器操作機Ｍ１を用いて操作することは可能である。
【００２５】
また、セキュリティロック解除動作は、通信ライン５０に接続された全ての対応機器Ｓに対して一括して行ってもよい。
そのようにすれば、異なる機器の操作毎に逐一パスワード入力を行う必要がない。但し、この場合においても、セキュリティロックが解除された後、機器使用後においてロック解除手段５７が対応機器Ｓを再びセキュリティロック状態とするタイミングは各対応機器Ｓによることが好ましい。
【００２６】
さらに具体的に説明すると、操作者がセキュリティロック状態の対応機器Ｓを機器操作機Ｍ１により操作する場合、操作者が操作部４から入力したパスワードは、制御部７の制御により、無線ＬＡＮ機能２１を用いて対応機器Ｓに送信される。
そして、パスワードデータを受信した対応機器Ｓにおいて、セキュリティロックが解除されると、機器操作機Ｍ１の制御部７は、赤外線リモコン機能部２２又は電波式リモコン機能部２３により、対応機器Ｓの動作を制御するための制御周波数を送信し、これにより対応機器Ｓの操作が行われる。
【００２７】
前記のように機器操作機Ｍ１による対応機器Ｓの操作は、赤外線リモコン機能部２２、或いは電波式リモコン機能部２３を介して送信される制御周波数により行われるが、その制御周波数は、各対応機器Ｓについて、第２記憶部９（記憶手段）の制御テーブルＴ１に登録されている。この制御テーブルＴ１には、各対応機器Ｓを特定するための機器コード、セキュリティロックの有無、機器名、動作内容及びそれに対応する制御周波数等を含む制御データが記録されている。
【００２８】
したがって、操作者が所望の対応機器Ｓを操作する場合、操作者が操作部４により所望の対応機器Ｓの所望の動作内容を選択すると、制御部７は選択された対応機器Ｓ及びその動作内容に対応する制御周波数を制御テーブルＴ１から読み出し、赤外線リモコン機能部２２または電波式リモコン機能部２３により、対応機器Ｓに対し、読み出した制御周波数を送信するようになされている。
【００２９】
尚、制御部７が制御テーブルＴ１の制御データを参照する際、セキュリティロック有の機器Ｓであった場合には、表示部３にパスワード入力を促す表示が行われるように構成されている。
そして、操作者が正しいパスワードを入力すると、制御部７は無線ＬＡＮ機能２１によりパスワードを対応機器Ｓに送信し、対応機器Ｓ側でロック解除されると、続いて赤外線リモコン機能部２２または電波式リモコン機能部２３により制御周波数を送信するようになされている。
【００３０】
また、各対応機器Ｓに係る制御データの制御テーブルＴ１への登録は、データ読込み手段として機能する制御部７により行われる。即ち、制御部７は、各対応機器Ｓにおいてデータ出力手段として機能する通信部５６から出力された制御データを通信部２により読み取る方法、若しくは、外部インターフェイス部５（制御周波数や動作内容等を含む制御データを記録したメモリカード、接続ケーブル等）を介し制御データを読み込む方法を行い、読み込んだ制御データを制御テーブルＴ１へ書き込む。尚、前記制御データを記録したメモリカード（データチップ）は、その対応機器メーカ等から、制御データを予め記録した状態で提供されてもよい。
【００３１】
また、第２記憶部９には、この所定住所の所有者及び住所を限定する所有者コードを記録し設定するための所有者コードテーブルＴ２が記録されている。
この所有者コードテーブルＴ２に設定された所有者コードは、機器操作機Ｍの電源投入時（起動時）のみに利用される。具体的には、機器操作機Ｍの電源を入れ起動させると、表示部７に所有者コードの入力を促す画面が表示され、操作者が正しい所有者コードを入力すると、所有者コード特定手段として機能する制御部７が、入力されたコードを所有者コードテーブルＴ２に記録された正しい所有者コードと比較し、その後の操作が可能となるよう構成されている。
【００３２】
このように構成された機器操作機Ｍ１を用いて対応機Ｓの操作を行う場合、図３のフローに基づき機器操作機Ｍ１の第１記憶部８に記録されたプログラムＰが動作する。尚、このフローでは、前記した所有者コードの特定処理は省略する。
操作者が機器操作機Ｍ１の操作部４を用いて所望の対応機器Ｓの所望の動作内容を選択（指示）すると（図３のステップＳＴ１）、選択内容に基づき制御部７は第２記憶部９の制御テーブルＴ１を参照する。これにより、対応する対応機器Ｓに係る制御データが読み出される（図３のステップＳＴ２）。
【００３３】
読み出した制御データにおいて、対応機器Ｓにセキュリティロックがなされている場合（図３のステップＳＴ３）、表示部３にパスワード入力画面を表示する。
次いで、操作者により操作部４を介しパスワードが入力されると（図３のステップＳＴ４）、そのパスワードデータを無線ＬＡＮ機能２１により対応機器Ｓに送信する（図３のステップＳＴ５）。
【００３４】
対応機器Ｓにおいて受信されたパスワードが間違っている場合（図３のステップＳＴ６）、セキュリティロック状態が維持される。
一方、パスワードが正しい場合（図３のステップＳＴ６）、続いて制御部７は赤外線リモコン機能部２２或いは電波式リモコン機能部２３により制御周波数を対応機器Ｓに送信し（図３のステップＳＴ７）、これにより対応機器Ｓの動作制御（操作）が行われる。
また、ステップＳＴ３において、対応機器Ｓのセキュリティロックがない場合、ステップＳＴ７の制御周波数送信が行われ、対応機器Ｓの動作制御が行われる。
【００３５】
尚、前記フローにおいては、機器操作機Ｍ１による操作を例に説明したが、その他の機器操作機Ｍ２、Ｍ３等によっても同様に対応機器Ｓに対する操作を行うことができる。即ち、機器操作機Ｍ１同士で相互に通信することにより、記憶する制御データ等を共有することができる。
また、それら所定住所内に設置された機器操作機Ｍは、所定住所外に持ち出された機器操作機Ｍｍにより、無線ＬＡＮ機能２１や携帯電話機能部１０を利用しネットワーク通信を介して操作されてもよい。そのようにすれば、外出先から所定住所内の全ての対応機器Ｓの動作状況を把握することができ、さらに操作も可能となる。ここで、所定住所内の各部屋に機器操作機Ｍを設置し、夫々を特定する操作機特定コードを決めておけば、さらに利便性が向上する。すなわち、持ち出した機器操作機Ｍｍから、操作したい対応機器Ｓが置かれた部屋の機器操作機Ｍを機器特定コードにより指定すれば、その機器操作機Ｍのみに、対応機器Ｓに対する動作制御を行わせることができ、対応機器Ｓの設置部屋によらないシームレスな制御を行うことができる。
【００３６】
以上の本考案の機器操作機Ｍ及びその対応機器Ｓに係る実施の形態によれば、所定住所内の複数の対応機器を１台の操作機Ｍで操作することができ、利便性が向上すると共に、操作機Ｍの電源投入時に所有者コード入力を必要とさせることによって、所有者コードを知らない人物の操作を制限することができ、セキュリティ性を向上することができる。また、特に安全性が要求される火気を用いる機器や電子施錠機器等に対してはパスワードによる動作制御の制限を課すことができ、セキュリティ性をさらに向上することができる。
また、対応機器Ｍは所定住所内での使用に限定されず、通信可能な場所であれば外出先でも使用することができ、特に対応機器Ｓの動作状況を確認できる機能により、例えば老人介護等の利用にも応用することができる。
【００３７】
尚、前記した実施の形態においては、機器操作機Ｍ１の通信部２から対応機Ｓに対しパスワードデータを送信する手段として、ＴＣＰ／ＩＰによる無線ＬＡＮ機能２１を用いたが、赤外線リモコン機能部２２或いは電波式リモコン機能部２３を用いてパスワードデータを対応機器Ｓに送信する構成としてもよい。
この場合、対応機器Ｓにおいては、受信部５５が所定コード受信手段として機能し、受信部５５で受信したパスワードに基づきロック解除手段５７でセキュリティロックが解除される。
【００３８】
また、機器操作機Ｍ１の通信部２は、無線ＬＡＮ機能２１を有しているため、例えば自宅に置いた機器操作機Ｍ１等をインターネットを介し機器操作機Ｍｍ以外の装置により操作可能な構成としてもよい。この場合、自宅外から操作者が操作し、機器操作機Ｍ１を制御する端末としては、パーソナルコンピュータ（デスクトップ、ノート）、携帯電話、通信可能なカーナビゲーションシステム、携帯情報端末（ＰＤＡ）等が挙げられる。このようにすれば、外出先に機器操作機Ｍｍを持ち出さなくても、通信可能な装置さえあれば、対応機器Ｓの操作や作動状況を知ることができ、利便性を格段に向上させることができる。
【００３９】
また、図２を用いて説明した前記実施の形態においては、移動通信手段である通信機能部１０を備える構成を示したが、この通信機能部１０を単に通話に用いるだけでなく、制御部７自体の制御に利用してもよい。
即ち、屋外における一般的な携帯電話やカーナビゲーションシステム等からの通信を介した命令を前記通信機能部１０で受信し、通信機能部１０が制御部７を制御して、機内各部の動作制御を実行させてもよい。そのようにすれば、さらに利便性を向上することができる。
【産業上の利用可能性】
【００４０】
本考案は、複数の電気・電子機器を夫々操作可能な機器操作機に関するものであり、電気・電子機器の製造業界において好適に利用され得る。
【図面の簡単な説明】
【００４１】
【図１】図１は、本考案に係る機器操作機の実施の形態を示す外観図である。
【図２】図２は、図１の機器操作機及びその対応機器の内部構成を模式的に示したブロック図である。
【図３】図３は、図１の機器操作機の動作の流れを示すフロー図である。
【符号の説明】
【００４２】
２          通信部
３          表示部
４          操作部
５          外部インターフェイス部
６          バッテリー部
７          制御部（制御手段、所有者コード特定手段、データ読込み手段、配電制御手段）
８          第１記憶部
９          第２記憶部（記憶手段）
１０        通信機能部（移動通信手段）
２１        無線ＬＡＮ機能部（ネットワーク通信手段）
２２        赤外線リモコン機能部（送受信手段）
２３        電波式リモコン機能部（送受信手段）
５０        通信ライン
５５        受信部
５６        通信部（データ出力手段）
５７        ロック解除手段
Ｐ          プログラム
Ｓ          対応機器
Ｔ１        制御テーブル
Ｔ２        所有者コードテーブル
【図１】
0003130081.tif 000003
【図２】
0003130081.tif 000004
【図３】
0003130081.tif 000005
【手続補正書】
【提出日】平成18年11月15日(2006.11.15)
【手続補正１】
【補正対象書類名】実用新案登録請求の範囲
【補正対象項目名】全文
【補正方法】変更
【補正の内容】
【実用新案登録請求の範囲】
【請求項１】
所定の住所における複数の対応機器の夫々に対し、該機器の動作を制御する制御周波数を送信し、各対応機器を操作する１つまたは複数の機器操作機であって、
操作者の指示を受付ける操作部と、所有者及び住所を限定する所有者コードを設定し、前記操作部から入力された前記所有者コードに基づき各対応機器に対する操作を可能とする所有者コード特定手段と、周波数信号の送受信が可能な送受信手段と、前記対応機器側から出力された当該対応機器が動作する前記制御周波数及びその動作内容を含む制御データを前記送受信手段または外部インターフェイスにより読込み可能なデータ読込み手段と、前記データ読込み手段が読込んだ１つまたは複数の前記制御データを、各対応機器の動作に関連付けて記憶する記憶手段と、機内の動作制御を行う制御手段とを備え、
前記制御手段は、操作者が前記操作部で指示した動作内容に対応する制御周波数を前記記憶手段に記憶された制御データから読み出し、読み出した制御周波数を前記送受信手段により前記対応機器に対し送信することを特徴とする機器操作機。
【請求項２】
他の操作機との通信を可能とするネットワーク通信手段を備え、
前記制御手段は、前記ネットワーク通信手段または前記送受信手段により、他の操作機との間で前記制御データを送受信し、他の操作機と前記制御データを共有すると共に、
前記ネットワーク通信手段を用いて他の操作機に命令を発行し、所望の対応機器に対し前記制御周波数を送信させることを特徴とする請求項１に記載された機器操作機。
【請求項３】
前記所定の住所内の配電状況を表示すると共に所望の配電経路への電源の供給もしくは停止を操作可能な配電制御手段を備えることを特徴とする請求項１または請求項２に記載された機器操作機。
【請求項４】
前記ネットワーク通信手段は、前記複数の対応機器に共通接続された通信ラインに通信可能に接続し、
前記制御手段は、前記ネットワーク通信手段または前記送受信手段を介し、前記複数の対応機器の動作状況を取得することを特徴とする請求項２または請求項３に記載された機器操作機。
【請求項５】
前記所定の住所外且つ移動中であっても他の通信機器との無線通信が可能な移動通信手段を備え、
前記移動通信手段を通じて他の通信機器から受信した命令に基づき前記制御手段に機内の動作制御を実行させ、実行結果を前記他の通信機器に送信可能であることを特徴とする請求項１乃至請求項４のいずれかに記載された機器操作機。
【請求項６】
前記請求項１乃至請求項５のいずれかに記載された機器操作機から送信された制御周波数に基づき動作制御される前記対応機器であって、
前記機器操作機に対し、赤外線信号、電波信号、外部インターフェイスのいずれかにより前記制御データを出力するデータ出力手段を備えることを特徴とする対応機器。
【請求項７】
請求項１または請求項２または請求項３または請求項４または請求項５の機器操作機に請求項６の制御データーを入力するデータ入力手段を備える機器操作機
【請求項８】
請求項１または請求項２または請求項３または請求項４または請求項５の機器操作機にデーター出力手段を備える機器操作機
【請求項９】
請求項１または請求項２または請求項３または請求項４または請求項５の機器操作機に請求項１から請求項５のデータ共有の利便性の為、機器操作機のデータ入力出段を備える機器操作機
【手続補正書】
【提出日】平成19年1月31日(2007.1.31)
【手続補正１】
【補正対象書類名】実用新案登録請求の範囲
【補正対象項目名】全文
【補正方法】変更
【補正の内容】
【実用新案登録請求の範囲】
【請求項１】
所定の住所における複数の対応機器の夫々に対し、該機器の動作を制御する制御周波数を送信し、各対応機器を操作する１つまたは複数の機器操作機であって、
操作者の指示を受付ける操作部と、所有者及び住所を限定する所有者コードを設定し、前記操作部から入力された前記所有者コードに基づき各対応機器に対する操作を可能とする所有者コード特定手段と、周波数信号の送受信が可能な送受信手段と、前記対応機器側から出力された当該対応機器が動作する前記制御周波数及びその動作内容を含む制御データを前記送受信手段または外部インターフェイスにより読込み可能なデータ読込み手段と、前記データ読込み手段が読込んだ１つまたは複数の前記制御データを、各対応機器の動作に関連付けて記憶する記憶手段と、機内の動作制御を行う制御手段とを備え、
前記制御手段は、操作者が前記操作部で指示した動作内容に対応する制御周波数を前記記憶手段に記憶された制御データから読み出し、読み出した制御周波数を前記送受信手段により前記対応機器に対し送信することを特徴とする機器操作機。
【請求項２】
他の操作機との通信を可能とするネットワーク通信手段を備え、
前記制御手段は、前記ネットワーク通信手段または前記送受信手段により、他の操作機との間で前記制御データを送受信し、他の操作機と前記制御データを共有すると共に、
前記ネットワーク通信手段を用いて他の操作機に命令を発行し、所望の対応機器に対し前記制御周波数を送信させることを特徴とする請求項１に記載された機器操作機。
【請求項３】
前記所定の住所内の配電状況を表示すると共に所望の配電経路への電源の供給もしくは停止を操作可能な配電制御手段を備えることを特徴とする請求項１または請求項２に記載された機器操作機。
【請求項４】
前記ネットワーク通信手段は、前記複数の対応機器に共通接続された通信ラインに通信可能に接続し、
前記制御手段は、前記ネットワーク通信手段または前記送受信手段を介し、前記複数の対応機器の動作状況を取得することを特徴とする請求項２または請求項３に記載された機器操作機。
【請求項５】
前記所定の住所外且つ移動中であっても他の通信機器との無線通信が可能な移動通信手段を備え、
前記移動通信手段を通じて他の通信機器から受信した命令に基づき前記制御手段に機内の動作制御を実行させ、実行結果を前記他の通信機器に送信可能であることを特徴とする請求項１乃至請求項４のいずれかに記載された機器操作機。
【請求項６】
前記請求項１乃至請求項５のいずれかに記載された機器操作機から送信された制御周波数に基づき動作制御される前記対応機器であって、
前記機器操作機に対し、赤外線信号、電波信号、外部インターフェイスのいずれかにより前記制御データを出力するデータ出力手段を備えることを特徴とする対応機器。